(57)【要約】【課題】本発明は、上部整風カバー及び下部整風カバーからかご室への振動を、乗かご重量を増加させずに、抑制できるエレベーター装置を提供することにある。【解決手段】本発明は、上部整風カバー１７とかご室６との間及び下部整風カバー１８とかご室６との間に防振材５を介在させたのである。【選択図】  図１
2004315201.tif 000002
【特許請求の範囲】
【請求項１】
昇降路内を昇降する乗かごのかご室の上部及び下部に上部整風カバーと下部整風カバーを備えてなるエレベーター装置において、前記上部整風カバーと前記かご室との間及び下部整風カバーと前記かご室との間に防振材を介在させたことを特徴とするエレベーター装置。
【請求項２】
昇降路内を昇降する乗かごのかご室の上部及び下部に上部整風カバーと下部整風カバーを備えてなるエレベーター装置において、前記上部整風カバーと下部整風カバーとは前記かご室に対して振動的に絶縁されていることを特徴とするエレベーター装置。
【請求項３】
前記上部整風カバーの上方に乗かご搭載機器が配置されていることを特徴とする請求項１又は２記載のエレベーター装置。
【請求項４】
前記上部整風カバーと前記かご室との間に乗かご搭載機器が配置されていることを特徴とする請求項１又は２記載のエレベーター装置。
【請求項５】
昇降用の主ロープによって昇降する枠体と、この枠体に防心材を介して支持されたかご室と、このかご室の頂部と底部を被い前記枠体に直接的あるいは間接的に支持された上部整風カバー及び下部整風カバーと、前記上部整風カバーの上方に配置され被い前記枠体に直接的あるいは間接的に支持された乗かご搭載機器と、前記かご室の出入口を上方から被い上昇運転時に発生する空気流を前記かご室の間口方向に整流する整流体とを備えてなるエレベーター装置。
【請求項６】
前記上部整風カバー及び下部整風カバーは、防振機能を有していることを特徴とする請求項１、２、３、４又は５記載のエレベーター装置。
【発明の詳細な説明】
【０００１】
【発明の属する技術分野】
本発明はエレベーター装置に係り、特に、かご室の頂部及び底部に上部整風カバー及び底部整風カバーを備えたエレベーター装置に関する。
【０００２】
【従来の技術】
かご室の頂部及び底部に上部整風カバー及び底部整風カバーを備えたエレベーター装置は、例えば特許文献１等で既に提案されている。
【０００３】
【特許文献１】
特開平６−２９８４７３号公報（図１，図６、図７）
【０００４】
【発明が解決しようとする課題】
この種、上部整風カバー及び底部整風カバーを備えたエレベーター装置は、昇降時に受ける風圧による上部整風カバー及び底部整風カバーの振動についての配慮がなされておらず、その結果、上部整風カバー及び底部整風カバーの振動をかご室に伝えてしまう問題がある。
【０００５】
また、風圧による上部整風カバー及び底部整風カバーの振動を抑制するために、上部整風カバー及び底部整風カバーの板厚を厚くすることも考えられるが、乗かごの重量を増加させることになり、良策とは云えない。
【０００６】
本発明の目的は、上部整風カバー及び下部整風カバーからかご室への振動を、乗かご重量を増加させずに、抑制できるエレベーター装置を提供することにある。
【０００７】
【課題を解決するための手段】
本発明は上記目的を達成するために、上部整風カバーとかご室との間及び下部整風カバーとかご室との間に防振材を介在させたのである。
【０００８】
上記構成によれば、昇降時の風圧により、上部整風カバー及び下部整風カバーが振動しても、かご室との間には防振材が配置されているので、その振動を防振材によって遮断あるいは抑制でき、かご室への振動の伝播を抑制あるいは遮断することができる。
【０００９】
【発明の実施の形態】
以下本発明による一実施の形態を図１〜図４に基づいて説明する。
【００１０】
通常、昇降路内を昇降する乗かご１は、主ロープ２によって吊られた枠体３と、この枠体３に支持されたかご室６とを備えている。前記枠体３は、一対の縦枠３Ａ，３Ｂと、これら縦枠３Ａ，３Ｂの上部と下部を連結する上梁３Ｃと下梁３Ｄとを有し、下梁３Ｄに床枠４を固定し、この床枠４に防振材５を介して、かご室６のかご床７を支持している。
【００１１】
前記かご室６は、かご床７の周縁から立設させた側壁８と、側壁８の上端を塞ぐ天井板９と、前記側壁８の乗場（図示せず）側に対向した位置に形成された出入口１０と、この出入口１０を横方向に開閉するかごドア１１とで構成されている。このかごドア１１は、リンク機構１２を介して前記天井板９の上方に設置されたドア駆動機構１３によって駆動される。
【００１２】
また、前記枠体３のかご室６の上方には前記ドア駆動機構１３や乗かご搭載機器１６Ａ〜１６Ｃを保持する機器保持枠１５Ａや保守時の作業者を安全を図る保護枠１５Ｂが設けられている。
【００１３】
そして、枠体３の上下対称位置には、昇降路に設置されたガイドレール（図示せず）に係合して乗かご１の昇降を案内する案内装置１４が取り付けられている。
【００１４】
さらに、乗かご１には、特に高速昇降時に受ける空気圧により、かご室６の天井板９やかご床７が加振されて乗客に不快感を与えないように、上部整風カバー１７と下部整風カバー１８とが天井板９の上面側とかご床７の下面側を被うように設置されている。
【００１５】
上部整風カバー１８は、前記枠体３に直接的あるいは枠体３に支持させた支持部材（図示せず）を介して間接的に支持されており、かご室６には微小隙間Ｇを介して接近させている。
【００１６】
一方、下部整風カバー１８は、枠体３や床枠４に直鉄的あるいは間接的に支持され、かご室６のかご床７に微小隙間Ｇを介して接近させている。
【００１７】
このほか、かご室６のかごドア１１の上方には、かご室の出入口を上方から被い上昇運転時に発生する空気流を前記かご室６の間口方向（かごドア開閉方向）に整流する整流体１９を、支持部材（図示せず）を介して枠体３に間接的に支持させている。
【００１８】
上記のように構成したので、上部整風カバー１７と下部整風カバー１８とは、防振材５を介してかご室６と振動的に絶縁されることになり、これら上部整風カバー１７と下部整風カバー１８が昇降時の空気圧により加振されても、その振動は防振材５で遮断あるいは減衰されるので、振動はかご室６に伝達されず、あるいは伝達されても極僅かとなるので、乗客に与える不快感を解消することができる。さらに、上部整風カバー及び底部整風カバーが加振を受けにくくするために、その板厚を厚くすることによって乗かごの重量を増加させることもなくなる。
【００１９】
また、乗かご搭載機器１６Ａ〜１６Ｃを保守点検する場合には、作業者は、乗場（図示せず）側から上部整風カバー１７の上に乗込み、通常のエレベーター装置と同様の保守点検作業を行う。尚、上部整風カバー１７の上面を、図３に示すように、取手の付いた複数の上面カバー２０で形成しておけば、天井板９に支持された照明やスピーカの交換時に、必要な上面カバー２０のみを開閉あるいは着脱すればよく、上部整風カバー１７全体を着脱する必要はなくなる。
【００２０】
尚、乗かご搭載機器１６Ａ〜１６Ｃは、上部整風カバー１７の上方に配置した例を説明したが、上部整風カバー１７と天井板９の間に配置しても良い。
【００２１】
さらに、乗かご搭載機器が乗かご１の下部にも設置されている場合の保守点検は、乗かご１を昇降路底部のピット内まで降下させ、ピット内に設けた作業台２１に乗って行う。そして、図４に示すように、下部整風カバー１８の下面に複数の下面カバー２２を設けておけば、下部整風カバー１８とかご床７との間に乗かご搭載機器を設置した場合でも、下作業台２１から下面カバー２２を開けて各種保守点検作業を行うことができる。
【００２２】
ところで上記実施の形態においては、上部整風カバー１７と下部整風カバー１８とをかご室６に対して微小隙間Ｇを介して接近させたが、前記微小隙間Ｇに吸振材を介して上部整風カバー１７と下部整風カバー１８をかご室６に接触させても良い。
【００２３】
この外、前記上部整風カバー１７と下部整風カバー１８を防振機能を有するカバーですることにより、昇降時の空気圧による加振を抑制し、かご室６への振動伝播を効果的に遮断あるいは抑制することができる。防振機能を有するカバーとは、例えば、カバーに防振材や吸振材を被覆したり塗布したりして得ることができる。
【００２４】
【発明の効果】
以上説明したように本発明によれば、上部整風カバー及び下部整風カバーからかご室への振動を、乗かご重量を増加させずに、抑制できるエレベーター装置を得ることができる。
【図面の簡単な説明】
【図１】本発明によるエレベーター装置の一実施の形態を示す斜視図。
【図２】本発明によるエレベーター装置の乗かごを示す一部縦断側面図。
【図３】本発明によるエレベーター装置の上部整風カバーを示す斜視図。
【図４】本発明によるエレベーター装置の下部整風カバーを示す底面図。
【符号の説明】
１…乗かご、３…枠体、５…防振材、６…かご室、１７…上部整風カバー、１８…下部整風カバー。
【図１】
2004315201.tif 000003
【図２】
2004315201.tif 000004
【図３】
2004315201.tif 000005
【図４】
2004315201.tif 000006